(57)【要約】【目的】小型軽量携帯型の血圧測定機能と下肢静脈を周期的に圧迫するマッサージ機能を兼ね備えた装置の提供。【解決手段】カフ，血流音および／または脈波を検出する検出手段を含み、生体の上腕における血圧測定手段を備えた装置であって、前記上腕における血圧測定手段は、周期的な下肢静脈圧迫可能とし、その周期を設定または選定できるようにしたことを特徴とする装置。また、カフ，血流音および／または脈波を検出する検出手段を含み、生体の上腕における血圧測定手段を備えた装置であって、前記上腕における血圧測定手段は、周期的な下肢静脈圧迫可能とし、その圧迫圧力の上限値を設定または選定できるようにしたことを特徴とする装置。【選択図】  図４
2005198919.tif 000002
【特許請求の範囲】
【請求項１】
カフ，血流音および／または脈波を検出する検出手段を含み、生体の上腕における血圧測定手段を備えた装置であって、前記上腕における血圧測定手段は、周期的な下肢静脈圧迫可能とし、その周期を設定または選定できるようにしたことを特徴とする装置。
【請求項２】
カフ，血流音および／または脈波を検出する検出手段を含み、生体の上腕における血圧測定手段を備えた装置であって、前記上腕における血圧測定手段は、周期的な下肢静脈圧迫可能とし、その圧迫圧力の上限値を設定または選定できるようにしたことを特徴とする装置。
【請求項３】
カフ，血流音および／または脈波を検出する検出手段を含み、生体の上腕における血圧測定手段を備えた装置であって、前記上腕における血圧測定手段は、周期的な下肢静脈圧迫可能とし、その周期を設定または選定できるようにするとともに、その圧迫圧力の上限値を設定または選定できるようにしたことを特徴とする装置。
【請求項４】
カフ，血流音および／または脈波を検出する検出手段を含み、生体の上腕における血圧測定手段と、カフ，血流音および／または脈波を検出する検出手段を含み、下肢における血圧測定手段を備えた装置であって、前記下肢における血圧測定手段は、周期的な下肢静脈圧迫を可能とすることを特徴とする装置。  
【請求項５】
前記上腕における血圧測定手段も周期的な下肢静脈圧迫を可能とすることを特徴とする請求項４に記載の装置。
【請求項６】
駆動電源は、商用電源，自動車用電源，バッテリーのいずれかであることを特徴とする請求項１〜５のいずれかに記載の装置。
【発明の詳細な説明】
【技術分野】
【０００１】
本発明は、血圧測定機能と下肢静脈圧迫マッサージ機能を兼ねる装置に関する。
【背景技術】
【０００２】
通常、生体の一部たとえば上腕および／または足首巻回されたカフを用いてその生体の血圧測定を行うことが行われている。一方、エコノミー症候群(ロングフライト血栓症；下肢深部静脈血栓症，肺塞栓症)防止，手術後の下肢静脈の血栓予防のために生体の下肢静脈を周期的に圧迫するマッサージ装置が提案されている(特許文献１)。また、マッサージのための圧迫を行うためのアクチュエータをカフとして用い、血圧測定も可能にした装置が提案されている(特許文献２)。
【特許文献１】特開平 ９−３１３５５７号
【特許文献２】特開 ２００１−２６９３７５号
【発明の開示】
【発明が解決しようとする課題】
【０００３】
しかしながら、装置が大型，複雑，高価であり、圧迫周期を使用者が選択または設定することが可能な血圧測定用カフを利用した小型軽量で下肢静脈を周期的に圧迫することが可能な装置は未だ提案されていない。
【０００４】
本発明は、以上の事情を背景としてなされたもので、その目的とするところは、小型軽量携帯型の血圧測定機能と下肢静脈を周期的に圧迫するマッサージ機能を兼ね備えた装置を提供することにある。
【課題を解決するための手段】
【０００５】
上記目的を達成するために、本発明の装置は、カフ，血流音および／または脈波を検出する検出手段を含み、生体の上腕における血圧測定手段を備えた装置であって、上腕における血圧測定手段は周期的な下肢静脈圧迫可能とし、その周期を設定または選定できるようにしたことを特徴とするものである。また、カフ，血流音および／または脈波を検出する検出手段を含み、生体の上腕における血圧測定手段を備えた装置であって、上腕における血圧測定手段は周期的な下肢静脈圧迫可能とし、その圧迫圧力の上限値を設定または選定できるようにしたことを特徴とするものである。また、カフ，血流音および／または脈波を検出する検出手段を含み、生体の上腕における血圧測定手段を備えた装置であって、上腕における血圧測定手段は周期的な下肢静脈圧迫可能とし、その周期を設定または選定できるようにするとともに、その圧迫圧力の上限値を設定または選定できるようにしたことを特徴とするものである。また、カフ，血流音および／または脈波を検出する検出手段を含み、生体の上腕における血圧測定手段と、カフ，血流音および／または脈波を検出する検出手段を含み、下肢における血圧測定手段を備えた装置であって、下肢における血圧測定手段は周期的な下肢静脈圧迫を可能とすることを特徴とするものである。また、上腕における血圧測定手段も周期的な下肢静脈圧迫を可能とすることを特徴とするものである。また、駆動電源は、商用伝電源，自動車用電源，バッテリーのいずれかであることを特徴とするものである。
【発明の効果】
【０００６】
本発明の装置によれば、低廉、簡単な装置で、自宅または自動車,列車,船舶,航空機などの交通機関内／外出時等においても血圧測定と併せて下肢静脈を周期的に圧迫するマッサージが容易に行えるので、血栓などの発生の予防が容易にできる装置を提供することができる。
【発明を実施するための最良の形態】
【０００７】
図１は本発明の一実施例の基本構成を示す概略ブロック図である。被測定者の測定部(例えば、上腕Ａに装着して阻血するカフ２と、カフ２内の圧力を上昇させる加圧ポンプよりなる加圧手段３と、カフ２内の定速で徐々に降下させたり、急速に降下させたりする排気手段４と、カフ２内の圧力を電気信号に変換する圧力センサ５と、圧力センサ５出力をサンプリングしてデジタル値に変換するＡ／Ｄコンバータ７と、徐々排気期にＡ／Ｄコンバータ７より出力される圧力値(デジタル値)から動脈脈波値Ｖをデジタル演算により抽出する動脈脈波抽出手段８ａおよび圧力値から動脈脈波を除去したカフ圧値Ｐをデジタル演算により抽出するカフ圧抽出手段８ｂを備えた圧力情報分離手段９と、圧力情報分離手段９にて抽出した脈波に対応する動脈脈波値Ｖおよびカフ圧値Ｐを対データとして有限個数(例えば、１０対)だけ所定の記憶領域に記憶する記憶手段１０と、記憶手段１０に記憶されたデータを適宜読出して比較演算する演算手段１１およびこの演算手段１１にて演算された演算結果から最高、最低血圧値を判定する血圧判定手段１２よりなる血圧決定手段１３と、上記血圧決定手段１３にて決定された最高、最低血圧値、排気速度,脈拍モニタ１４から出力される排気速度値および脈拍値、カフ圧モニタ１５から出力されるカフ圧が適宜表示される表示手段１６とで構成されている。血圧決定手段１３の最高血圧判定手段は、動脈脈波値Ｖが動脈脈波値Ｖの最大値Ｖmaxに所定比率ａを乗じた判定境界値Ｖａを最初に越え始める時期を最高血圧時期としてその時期のカフ圧値Ｐを最高血圧値と判定するように形成されている。１９は、キー，ボタン等で構成される設定／入力手段、２０は電源のＯＮ／ＯＦＦスイッチ、２０ａは動作開始を指示する開始スイッチ、２１はカフと加圧手段，圧力センサを連通させるチューブである。この装置１は、電池(充電式)またはＡＣアダプタを介して商用電源でも動作(使用)可能になっている。図２は、上述の実施例の外観斜視図である。カフ２は、腕挿入部２ｂが予め所定の内径を有する筒状に形成されるとともに、取っ手２ａを設けて上腕の所定位置にカフ２が容易に挿入できるようにしている。３０は、ＡＣアダプタ、１００は電気回路、制御回路、設定／入力部等を備えた本体である。
【０００８】
本実施例にあっては、上記最高血圧判定手段は、記憶手段１０の記憶領域に記憶されている動脈脈波値Ｖをカフ圧値Ｐの小さい順に判定境界値と比較し、所定の複数回数連続して動脈脈波値Ｖが大きくなる時期を最高血圧時期と判定する時期判定手段にて形成されている。なお、圧力情報分離手段９、記憶手段１０、演算手段１１、血圧決定手段１３および両モニタ１４、１５はＣＰＵ、ＲＯＭおよびＲＡＭなどを用いたマイクロコンピュータ１８にて形成されている。
【０００９】
以下、オシロメトリック(脈波)式の血圧測定機能を備えた実施例の基本動作は以下のようになっている。いま、被測定者の上腕Ａにカフ２を装着して加圧手段３および排気手段４にて最適に加圧、減圧することにより、動脈阻血、開放時の動脈反圧(counter pressure)をカフ２内に取り込み、チューブ２１を介した空気伝導で圧力センサ５に伝え、ローパスフィルタ６で雑音成分等を除去した後、静圧(カフ圧)とともに電気変換してアナログ信号よりなるカフ内圧力信号を得る。
【００１０】
次に、このカフ内圧力信号をＡ／Ｄコンバータ７でデジタル値に変換した圧力値がマイクロコンピュータ１８に送られる。マイクロコンピュータ１８では、このＡ／Ｄコンバータ７より出力される圧力値から動脈反圧の現象としてみられる動脈脈波成分およびカフ圧成分を情報分離手段８にて分離抽出するとともに、抽出された適宜個数の動脈脈波値Ｖおよびカフ圧値Ｐを対データとして記憶手段１０の所定の記憶領域に記憶させ、血圧決定手段１３の演算手段１１にて比較演算するとともに、血圧判定手段１２にて最高血圧時期、最低血圧時期を判断し、同時に最高、最低血圧時期に対応するカフ圧値Ｐを記憶手段１０から読み出し、このカフ圧値Ｐを最高、最低血圧値として表示手段１６に表示するようになっている。１９は、圧力マッサージ装置(下肢静脈圧迫マッサージ装置)として適用する場合の設定／入力手段で、キー，ボタン等で形成される。設定項目としては、図４において後述する内容と同様なのでここでの説明は割愛する。
【００１１】
図２は、上述の実施例の装置１の全体の外観斜視図である。カフ２は、腕挿入部が予め所定の内径を有するほぼ筒状に形成されるとともに、取っ手２ａを設けて上腕Ａの所定位置にカフが容易に挿入できるようになっている。また、腕の太さに応じて複数段階(たとえば、３段階)に調整可能となっている。２６はＡＣアダプタ、２８は、チューブ２１との接続コネクタ、２９は、カフ２を収納するケース、２９ａは、ケースのフタ、１００は、表示手段(表示部)，電気回路，制御回路，設定／入力手段１９等を備えた本体である。なお、チューブ２１を含めカフ２の重量は１００ｇｗ程度であり、装置１全体では１０００ｇｗ(ＡＣアダプタを除く)程度の重量である。
【００１２】
図３は、図２とは異なる形態のカフの一例を示すもので、係合手段としての面ファスナ２１ａ，により、上腕等の血圧測定部に装着するようになっている。チューブ２１、コネクタ２８を介して、本体１００に内臓された加圧ポンプ(加圧手段)３により、空気が加圧され、空気袋２２が膨らみ、血圧測定部(上腕Ａ等)を圧迫して、血圧(最高血圧，最低血圧)が測定される。２５はマイクロフォンで、コロトコフ音(血流音)方式での血圧測定が行われる場合に、カフ２に備えられるものである。表示手段１６は、最高血圧，最低血圧，脈拍数等の表示だけでなく、加圧動作，減圧動作，圧力測定動作等の各種動作をシンボルマークとして表示する動作表示部１６ａを備えている。圧力マッサージ装置(下肢静脈圧迫マッサージ装置)として適用する場合には、加圧する圧力の設定値の表示，加圧／減圧状態での圧力表示，動作表示を行うようになっている。
【００１３】
次に、上述の装置１を圧力マッサージ装置(下肢静脈圧迫マッサージ装置)として適用する場合についての操作手順について説明する。
【００１４】
(1) カフ２のチューブ２１がコネクタ２８に接続されているか否かを確認する。接続されていることを確認した後、ＯＮ／ＯＦＦスイッチ２０を押し、電源をＯＮする。選択スイッチ２０ｂで下肢静脈圧迫マッサージ機能を選択する。
【００１５】
(2) 電源がＯＮされると、表示手段１６が全灯表示され、装置１全体のセルフチェックが行われる。全灯表示を確認した後、カフの加圧圧等の条件設定を行う(なお、この設定操作は図４での操作と同様であるので図４(ｂ)を参照して説明する。)。(ステップ１)。
【００１６】
(3) 確定スイッチ１９ｆを押し、加圧圧力(最高圧力：加圧圧力上限値)設定キー１９ａを押すと、表示手段１６がこの部分(最上部の数値表示部)のみの点滅表示に変わる。使用者の利便性を考慮し、前回値(ｍｍＨｇ)が記憶手段(記憶部)１０に記憶されており、この値が表示部１６の最上部の数値表示部に表示される。変更する場合は、アップキー１９ｄで数値を増加(インクリメント)またはダウンキー１９ｅで数値を減少(デクリメント)し、所望の圧力値に設定し、確定スイッチ１９ｆを押すと連続表示に変わり、加圧圧力(最高圧力：加圧圧力上限値)の設定入力が終了する(ステップ２)。変更しない場合は、確定スイッチ１９ｆを押す。
【００１７】
(4) 最低圧力(最低圧力：加圧圧力下限値)設定キー１９ｂを押すと、表示手段１６がこの部分(上から２番目の数値表示部)のみの点滅表示に変わる。使用者の利便性を考慮し、前回値(ｍｍＨｇ)が記憶手段(記憶部)１０に記憶されており、この値が表示部１６の上から２番目の数値表示部に表示される。変更する場合は、アップキー１９ｄで数値を増加(インクリメント)またはダウンキー１９ｅで数値を減少(デクリメント)し、所望の圧力値に設定し、確定スイッチ１９ｆを押すと加圧圧力(最高圧力：加圧圧力上限値)値とともに連続表示に変わり、加圧圧力(最低圧力：加圧圧力下限値)値の設定入力が終了する(ステップ３)。変更しない場合は、確定スイッチ１９ｆを押す。
【００１８】
(5) 設定キー１９ｃを押すと、表示手段１６がこの部分(上から３番目の右側の数値表示部)のみの点滅表示に変わる。使用者の利便性を考慮し、前回値(ｍｍＨｇ)が記憶手段(記憶部)１０に記憶されており、この値が表示部１６の上から２番目の数値表示部に表示される。変更する場合は、アップキー１９ｄで数値を増加(インクリメント)またはダウンキー１９ｅで数値を減少(デクリメント)し、所望のインターバル値(秒)に設定し、確定スイッチ１９ｆを押すと、加圧圧力上限値，加圧圧力下限値とともにインターバル値(加圧／減圧周期：秒)も連続表示に変わり、インターバル値(加圧／減圧周期：秒)の設定入力が終了する(ステップ４)。変更しない場合は、確定スイッチ１９ｆを押す。
【００１９】
(6) 設定キー１９ｃを押すと、表示手段１６がこの部分(上から３番目の左側の数値表示部)のみの点滅表示に変わる。使用者の利便性を考慮し、前回値(ｍｍＨｇ)が記憶手段(記憶部)１０に記憶されており、この値が表示部１６の上から２番目の数値表示部に表示される。変更する場合は、アップキー１９ｄで数値を増加(インクリメント)またはダウンキー１９ｅで数値を減少(デクリメント)し、所望の動作時間(分)に設定し、確定スイッチ１９ｆを押すと、上述の各種設定値とともに連続表示に変わり、動作時間(分)の設定入力が終了(ステップ５)する。変更しない場合は、確定スイッチ１９ｆを押す。こうしてすべての条件設定が終了する。
【００２０】
(7) なお、すべての条件が前回と同様の場合、ステップ１において、確定スイッチ１９ｆを２回押す。
【００２１】
(8) カフを下肢静脈の所定部位に装着し、開始スイッチ２０ａを押すと、設定(入力)された値に基づいて、下肢静脈圧迫マッサージ機能の動作が行われる(ステップ６)。なお、動作時間(分)の延長を行いたい場合には、開始スイッチ２０ａを押すことで、ディフォルト値して設定されている所定時間(例えば５分間)延長される。
【００２２】
なお、装置１に外部通信機能を設けて、主治医などが設定した上述の各種設定条件を無線によりダウンロードできるようにしてもよい。
【００２３】
なお、図４(ａ)は、他の実施例を示すもので、カフ２が本体１００と一体に構成され、挿入部も所定の外径／内径(使用者が変更できない)を有する装置である。装置１全体では１０００ｇｗ(ＡＣアダプタを除く)程度の重量である。
【００２４】
図５は、下肢静脈圧迫マッサージ機能の動作時の圧力パターンの一例を示すものである。この図において、装置1に加圧速度の調整機能、減圧(排気)速度の調整機能を持たせ、患者自身が調整するようにしてもよい。また、予め、種々の加圧／減圧(排気)パターンを記憶部に記憶しておき、使用者が適宜せんたくするようにしてもよい。
【００２５】
図１，図２，図３に示すカフ２は、大きさの異なる複数種(大，中，小)を用意して使用することができる。また、個々人がそれぞれ専用に使用できるパーソナルユースとしてもよい。また、図１，図２において、コネクタ２８を2つ設け、左右両方の下肢静脈を同時に圧迫(加圧)マッサージできるようにしてもよい。
【００２６】
また、図３において、カフ外袋２３を取替え可能としたり、選択消毒可能としてもよい。なお、上述の実施例に限られず、種々の変更が可能であることはいうまでもなく、例えば、足首における血圧を測定および上腕における血圧を測定し動脈硬化度を測定するような装置にも適用が可能である。
【図面の簡単な説明】
【００２７】
【図１】本発明の実施例の概略ブロック図である。
【図２】本発明の実施例の全体の外観斜視図である。
【図３】本発明のカフの他の態様を示す図である。
【図４】本発明の他の実施例を示す図である。
【図５】本発明の実施例の下肢静脈圧迫マッサージ機能の動作時の圧力パターンを示す図である。
【符号の説明】
【００２８】
１  装置、２  カフ、３  加圧手段、１６  表示手段、１９  設定／入力手段、２０  ＯＮ／ＯＦＦスイッチ、１００  本体
【図１】
2005198919.tif 000003
【図２】
2005198919.tif 000004
【図３】
2005198919.tif 000005
【図４】
2005198919.tif 000006
【図５】
2005198919.tif 000007